(57)【要約】【課題】音声と映像を大多数のユーザのどこからでも多重に配信できる効果的な発散方法が、考慮されておらず、ポイント・ツー・ポイント下での、配信サービスに関するものであった。目的の配信オブジェクトを、指定した複数の情報処理装置にインターネット等の通信路を介して、発散を制御し配信を行い、インターネット等の通信路に結合され、動作する複数の情報処理装置の環境に影響受けること無く、音声と映像の配信行う。【解決手段】インターネット等の通信路に結合され、各々がプログラムによって動作すし、画像及び音声のいずれかの入力装置を備えた複数の情報処理装置で、音声と映像の配信を指示するカンファレンスプログラムに、音声と映像の配信を実行するカンファレンスプログラムがさらに配下の複数の情報処理装置単位に対して音声と映像の配信を指示する拡散数を指定することによって、音声と映像の拡散方法による配信が実行できる。【選択図】    図１
2004185269.tif 000002
【特許請求の範囲】
【請求項１】
インターネット等の通信路に結合されて動作する複数の情報処理装置、及び画像配信装置と、一意的なアドレスを付与された該情報処理装置と通信路を介して情報の送受信を行える該情報処理装置と、カンファレンスを行う為の画像及び音声のいずれかの入力装置を備えた各々の情報処理装置において、カンファレンスを行う為の画像を該情報処理装置の個別に画像配信装置に取りに行くことなく、複数の情報処理装置にインターネット等の通信路を介して、同一の画像を、一斉に拡散を行う音声、画像の配信システム及び配信方法
【請求項２】
前記、情報処理装置の画像配信システムにあっては、ＯＳＩ参照モデルに規定された物理層〜アプリケーション層の上位に位置するユーザ層にあって動作する為、インターネット等の通信路に結合され、各々がプログラムによって動作する複数の情報処理装置の環境に影響受けること無く、カンファレンス会員の複数の該情報処理装置間で画像配信を行えることを特徴とする音声、画像の配信システム及び配信方法
【請求項３】
カンファレンスを行う為の画像を該情報処理装置の個別に画像配信装置に取りに行く方法では、画像配信装置と接続された情報処理装置以外の情報処理装置は、アイドル状態にあり、アイドル状態にある情報処理装置間で、会話のための音声と画像配信装置が配布すべき画像を互いに拡散して送付することを特徴とする音声、画像の配信システム及び配信方法
【請求項４】
音声、画像の配信システムにおいて、カンファレンスを行う為の画像を該情報処理装置が個別に画像配信装置に取りに行くことがないため、画像配信装置の負荷低減が行える。
情報処理装置が設置されている地区及びエリアの言語が異なる場合、負荷が低減された画像配信装置の翻訳オブジェクトによる、ワールドワイドな翻訳会話サービスを行えることを特徴とする音声、画像の配信システム及び配信方法
【発明の詳細な説明】
【０００１】
【発明の属する技術分野】
本発明は、インターネット等のオープンプラットホームな通信路に結合された、情報処理装置と、複数の利用者が混在した環境に合ってカンファレンスなどを目的として、音声、画像のオブジェクトを選択して配信する情報処理装置の配信システム及び配信方法に関するものである。
【０００２】
特に、前記の情報処理装置のアイドル時間を利用して、音声の配信、翻訳会話サービスを安価に提供できる事に関する。
【０００３】
【従来の技術】
従来の技術は、大多数のユーザからアクセスにより、デジタルコンテンツの配信主体となる管理者側のサーバ装置に掛かる負担を軽減しデジタルコンテンツの円滑な配信サービスを行うこと目的とした、「特開２００２−２９７４７７  配信システム及び配信方法」、またインターネット上で仮想インターネットプロトコールアドレスユーザーと公認ＩＰアドレスユーザー双方の円滑な通信を具現させる「特願２００１−２０８７９３  インターネット通信方法」に関する技術があった。
【０００４】
【発明が解決しようとする課題】
前記、大多数のユーザからのアクセスにより、デジタルコンテンツの配信主体となる管理者側のサーバ装置に掛かる負担を軽減しデジタルコンテンツの円滑な配信サービスを行うこと目的とした、「特開２００２−２９７４７７  配信システム及び配信方法」、はどこからでも多重に実行できる発散方法は、考慮されておらず、インターネット上で仮想インターネットプロトコールアドレスユーザーと公認ＩＰアドレスユーザー双方の円滑な通信を具現させる「特願２００１−２０８７９３  インターネット通信方法」ポイント・ツー・ポイント下での、配信サービスに関するものであった。
【０００５】
この場合、下記の事柄が考慮されていなかった。
【０００６】
・目的の配信オブジェクトを、指定した複数の情報処理装置にインターネット等の通信路を介して、発散を制御し配信を行う。
【０００７】
・インターネット等の通信路に結合され、動作する複数の情報処理装置の環境に影響受けること無く、音声と映像の配信を実行するカンファレンスプログラムを、異なる環境にインストールすることで音声と映像の配信を行う。
【０００８】
・音声と映像の配信において、オープンなプラットホームに接続された、他社、他エリア等の雑多な情報処理装置の中から、一括して対象／非対象の情報処理装置を選定する。
【０００９】
・音声と映像の配信の実行拡散スピードと情報処理装置が設置されている地区及びエリア単位に実行する。
【００１０】
・音声と映像の配信を行う情報処理装置のグループと、情報処理装置が設置されている地区及びエリア単位に、ワールドワイドな言語に対応して実行でき、かつどこからでも実行できる。
【００１１】
【課題を解決するための手段】
上記の目的を達成する為インターネット等の通信路に結合され、各々がプログラムによって動作する複数の情報処理装置と、一意的なアドレスを付与された該情報処理装置と通信路を介して情報の送受信を行える該情報処理装置と、カンファレンスを行う為の画像及び音声のいずれかの入力装置を備えた各々の情報処理装置において
カンファレンスプログラムは、例えばＯＳＩ参照モデルに規定された物理層〜アプリケーション層の上位に位置するユーザ層で実行させるため情報処理装置の動作環境に影響受けることがない。
【００１２】
このためカンファレンスプログラムは、異なる環境に移植することが可能で音声と映像の配信の適用範囲が広がる。
【００１３】
音声と映像の配信を指示するカンファレンスプログラムに、対象とする会員の情報処理装置の一意的なアドレスを事前に登録する事によりオープンプラットホームに接続された、他社、他エリア等の雑多な情報処理装置の中から、一括して対象／非対象の会員の情報処理装置が選定できる。
【００１４】
音声と映像の配信を指示するカンファレンスプログラムに、音声と映像の配信を実行するカンファレンスプログラムがさらに配下の複数の情報処理装置単位に対して音声と映像の配信を指示する拡散数を指定することによって、音声と映像の拡散配信が実行できる。
【００１５】
音声と映像の配信を指示するカンファレンスプログラムに、音声と映像の配信を行う複数の情報処理装置グループ別に目的とするオブジェクトと、ワールドワイドな言語に対応した翻訳を行う。
【００１６】
【発明の実施の形態】
次に、本発明の実施例をカンファレンスプラットホーム内の各装置を接続し、パケット化されたデータの移動を示す
【図１】音声と画像データの移動、同様に、従来のパケット化されたデータの移動を表す
【図２】従来の画像データの移動、カンファレンスアプリケーションプログラムのＯＳＩ参照モデルに位置する
【図３】動作レイヤ、拡散を制御するアドレステーブルの遷移
【図４】アドレステーブルの遷移、従来方法と拡散スピードを比較した
【図５】スループット、カンファレンスアプリケーションプログラムの
【図６】データフォ−マット、カンファレンスアプリケーションプログラムのマスタープロセスを表す
【図７】動作フローの図を用いて実施例を詳細に説明する。
【００１７】
【図１】音声と画像データの移動は、本発明の実施例の一形態を含むカンファレンスプラットホーム内の各装置を接続し、パケット化されたデータの移動を示す。
オープンなネットワーク内でセキュリティを有するカンファレンスを行うメンバーの会員マスターと会員は、各々のＩＰアドレスを事前にカンファレンスプログラム内のアドレステーブルに登録する。
【００１８】
・  カメラ１１０５の映像を見てカンファレンスを実施する場合、会員マスター１０３は配信サーバ１０１にカメラ１１０５の映像の配信要求と配布プログラムの配信要求を出す。
【００１９】
・  配布プログラムが、すでにカンファレンスメンバーの会員に配布されインストールされている場合は、配布プログラムの配信要求は出されない。
配布プログラムが、カンファレンスメンバーの会員に配布されずインストールを必要とする場合は、映像と共に配信する。
【００２０】
・  配信サーバ１０１は、カメラ１１０５の映像を取得し、要求された映像を会員マスター１０３に配信する。
【００２１】
・  会員マスター１０３は、配信サーバ１０１から取得したカメラ１１０５の映像を、会員１１０２、会員２１０４に配信する。
【００２２】
・  ・会員１１０２は、会員マスター１０３から配布されたカメラ１１０５の映像を、会員３１０８、会員４１０７に配信する。
【００２３】
・  会員２１０４は、会員マスター１０３から配布されたカメラ１１０５の映像を、会員５１０６に配信する。
カンファレンスに参加した会員マスターと会員には、後述する
【図４】アドレステーブルの遷移に従い、映像の拡散配布を行う。
【００２４】
会員マスター１０３、会員１１０２、会員２１０４、会員３１０８、会員４１０７、会員５１０６の各々に用意されたマイクとスピーカからなる音声を用いてカンファレンスを実施する場合、音声の入力を受けた任意の会員は、該音声パケットを、他の会員に配信する。
【００２５】
・  他の会員から、他の会員へは、前述の映像の配信方法に順ずる。
音声と映像の配信方法については、カンファレンスアプリケーションプログラムのマスタープロセスを表す
【図７】動作フローの図を用いて詳細に後述する
【００２６】
【図２】従来の画像データの移動は、従来の映像の配信方法を示す。オープンなネットワーク内でセキュリティを有するカンファレンスを行うメンバーの会員マスターと会員は、各々のＩＰアドレスを事前に配信サーバに登録する。
【００２７】
・  カメラ１１０５の映像を見てカンファレンスを実施する場合、会員マスター１０、会員１１０２、会員２１０４、会員３１０８、会員４１０７、会員５１０６は配信サーバ１０１にカメラ１１０５の映像の配信要求を出す。
【００２８】
・  配信サーバ１０１は、カメラ１１０５の映像を取得し、要求された映像を逐次、会員マスター１０３、会員１１０２、会員２１０４、会員３１０８、会員４１０７、会員５１０６に配信する。
【００２９】
・  任意の会員に配信サーバ１０１が、カメラ１１０５の映像を配信中、他の会員の要求は、該配信が終了するまで待たされる。
【図３】動作レイヤは、カンファレンスプログラムがＯＳＩ参照モデルのどの位置で動作するかの動作方法を説明する。
会員マスター１０３  ２００、会員１１０２  ２０６、会員２１０４  ２２２、会員３１０８  ２２３、会員４１０７  ２２４、会員５１０６  ２２５の、カンファレンスプログラム構造は、ＯＳＩ参照モデルのアプリケーション層プレゼンテーション層、セッション層、トランスポート層、ネットワーク層、データリンク層、物理層の上位に位置する。
【００３０】
このためオープンプラットホームを構成する前記ＯＳＩ参照モデルの影響を受けること無く、動作することが出来る。
同様に、配信サーバ１０１のカンファレンスプログラム構造も、ＯＳＩ参照モデルのアプリケーション層、以下プレゼンテーション層、セッション層、トランスポート層、ネットワーク層、データリンク層、物理層に準じており、オープンプラットホームを構成する前記ＯＳＩ参照モデルの影響を受けること無く、動作することが出来る。
【００３１】
会員マスター  ２００から会員１２０６へのセッションは、会員マスター２００の会員１２０６への映像の配信起動を受け、配信サーバ１０１から取得した、カメラ１１０５の画像２０４が呼び出され２０５、ユーザプログラムとしてのカンファレンスプログラム２０１のもと、会員１２０６に配信する。
各層を経由２１２し、アプリケーション層、以下プレゼンテーション層、セッション層、トランスポート層、ネットワーク層、データリンク層、物理層が構成するネットワーク各種ヘッダ２１３後の、ユーザデータ領域２１４に、パケット種、通番２１６、カンファレンスプログラム２０１が使用する、カンファレンス会員メンバのＩＰアドレス２１７、カンファレンスオブジェクト２１８を付加し、会員１２０６の物理層、データリンク層、ネットワーク層、トランスポート層、セッション層，プレゼンテーション層を通り２１５、カンファレンスプログラム２０８を経由し
画像パケット２０９が格納２１１される。
ユーザデータ領域２１４については、
【図６】データフォ−マットに、後述する。
【００３２】
【図４】アドレステーブルの遷移は、拡散を制御するアドレステーブルの遷移について基本的な動作を示す。
配信の開始に関しては、事前準備として後述の
【図６】データフォーマットにしたがったデータを作成する。
【００３３】
・  配信の開始に際し会員マスター３０６は、配信サーバ３００にカンファレンスを行うメンバーの会員マスターと会員の、各々のＩＰアドレスを登録したカンファレンスプログラム内のアドレステーブル３１０を送信する。
【００３４】
・  会員マスター３０６は、自アドレスと送付する会員２３１１、会員４３１２のアドレスをアドレステーブルから無効にした後、会員２３０２に送付３２０後、連続して会員４３０３に送付３２１する。
【００３５】
・  会員２３０２は、自アドレスと送付する会員３３０７、会員６３０４のアドレスをアドレステーブルから無効にした後、会員３３０７に送付後、連続して会員６３０４に送付する。
【００３６】
・  会員４３０３は、自アドレスと送付する会員３３０７、会員６３０４のアド      レスをアドレステーブルから無効にした後、会員３３０７に送付後、連続して会員６３０４に送付する。
この時、前述の会員２３０２から、会員３３０７、会員６３０４に送付されていた場合は、会員３３０７、会員６３０４は、この受信処理を行わない。
【００３７】
・  会員３３０７は、自アドレスと送付する会員５３０８、会員８３０５のアドレスをアドレステーブルから無効にした後、会員５３０８に送付するが、この時、会員５３０８の電源が入っていないなどレディ状態で無い場合は、アドレステーブル上に指定が有る次に送付すべき会員１０３１３のアドレスをアドレステーブルから無効にした後、連続して会員８３０５に送付する。
【００３８】
カンファレンスアプリケーションプログラムの音声と映像の配信経路については、広域的に実施する方法とエリア対応に実施する方法を示す。
例えば広域的に実施する方法としては、東京本社地区、大阪本社地区、海外支店など配信対象会員が１０００台のアドレステーブルで有った場合は、拡散数を５として１０刻みに５０台の会員に配信指示を出す。
【００３９】
この時、各々のターゲット会員のカンファレンスプログラムは、
【図６】データフォーマットに従った、２０個単位の会員ドレスを受領する。
さらに各々の該会員のカンファレンスプログラムは、受領したアドレステーブル内のターゲット会員と自アドレスを消去し、ターゲット会員に配信する。
【００４０】
このように会員数の規模に応じ適正な拡散数を用いることにより、音声と映像の配信を行うことが出来る。
さらにエリア対応に実施する方法としては、東京本社地区、大阪本社地区、等の日本国内、海外の取引企業など言語が異なる配信対象会員が含まれている場合、アドレステーブルで属する会員の言語を指定することにより、エリアに対応した音声と映像の配信を行うことが出来る。
【００４１】
【図５】スループットで、従来方法と拡散スピードを比較した処理の流れを送信側会員と受信側会員間のプロトコル動作で説明する。
従来の配信方法では、会員１１０２のパソコン１は、配信サーバ１０１に接続要求４０１を行い、接続完了４０２後、画像要求４０３を行う。
配信サーバ１０１から、会員１１０２に画像４０４が送られる。
【００４２】
例えば、これを会員全体の会員１のパソコン１〜会員９のパソコン９まで行った場合は、配信サーバ１０１は、すべてが完了する４０５まで各々の会員は、逐次またされ４００、各々の会員のパソコンは、その間アイドルの状態にある。
【００４３】
本発明の配信方法では、前述と同様に会員１１０２のパソコン１は、配信サーバ１０１に接続要求を行い、接続完了後、画像要求を行い、配信サーバ１０１から、会員１１０２に画像が送られる。
これを会員１のパソコン１から会員２のパソコン２  ４０７、会員３のパソコン３４０６に、以下、従来の配信方法ではアイドル状態にあった各々の会員のパソコンを利用し、会員９のパソコン９まで拡散して送信する。
【００４４】
同様に、従来の配信方法でアイドル状態にあった各々の会員のパソコンを利用し、会員５のパソコン５  ４０７から入力された、音声パケットを、会員７のパソコン７４０９、会員３のパソコン３４０８に、前述の画像配信方法と同様に音声パケットを配信する。
以下、従来の配信方法ではアイドル状態にあった各々の会員のパソコンを利用し、会員９のパソコン９まで拡散して送信する。
【００４５】
【図６】データフォ−マットに配信を実施する場合の条件の指定方法を記す。
任意の会員のパソコンから、任意の会員のパソコンへの、ユーザデータ領域２１４に規定する送信データフォーマットは、ユーザデータの制御フラグ５００、パケット種５０１、通番５０２、送信元５０３、カンファレンス会員メンバのＩＰアドレス５０４、カンファレンスオブジェクト５０５からなる。
【００４６】
・制御フラグ５００には、次の指定をすることができる。
値  ００；未使用
値  ０１；カンファレンスオブジェクト５０５は、画像パケットである。
値  ０２；カンファレンスオブジェクト５０５は、音声パケットである。
値  ０３；カンファレンスオブジェクト５０５は、ファイルパケットである。
値  ０４；カンファレンスオブジェクト５０５は、メンテナンスパケットである。
カンファレンスオブジェクトには、ｒｅｖとカンファレンスプログラムである。
値  ０５；会員マスターの変更。
カンファレンスオブジェクト５０５は、会員マスターのＩＰ＃である。
値  ０６；アドレステーブルの変更
カンファレンスオブジェクト５０５は、アドレステーブルである。
・  通番
通番５０２には、制御フラグ５００の各値別に００〜２５６までの通し番号を付与する。
・  送信元ＩＰ＃５０３
送信元ＩＰ＃の指定を行う。
・  アドレステーブル５０４
会員メンバーのＩＰ＃を登録し、このアドレステーブル内でカンファレンスが実行される。
・  カンファレンスオブジェクト５０５
制御フラグ５００で指定した、ｒｅｖ、カンファレンスプログラム、会員マスターのＩＰ＃、アドレステーブルのデ  ー  タを指定する。
【００４７】
次に、カンファレンスアプリケーションプログラムのマスタープロセスを表す
【図７】動作フローの図を用いて実施例を詳細に説明する。
・  初期設定６００：カンファレンスアプリケーションプログラムの音声と映像の配信経路について、広域的に対応するための遅い順にアドレステーブル編集する、またエリア対応にサービスの実施が出来るようアドレステーブルを編集する。
【００４８】
配信サーバへアドレステーブルを送信６０１する。
カンファレンスの記録の予備出し、他サービスの会員利用に使用される。
【００４９】
会員／マスタの判断６０２．
マスターの権限と会員の権限を識別する。該事例においては、マスターがカンファレンスの画像を提供する。
【００５０】
送信要求６０３
送信要求フラグがあれば画像配信６０４、音声配信６０５、ファイル配信６０６、ＰＰ配信６０７、終了６０８の要求に従った処理を行う。
送信要求フラグが無ければ、音声／ファイルの配信要求判断の有無６１３へ移動する。
【００５１】
送信データの作成６０９
画像配信６０４、音声配信６０５、ファイル配信６０６、ＰＰ配信６０７、終了６０８のコンテンツに従い、
【図４】アドレステーブルの遷移に規定した、拡散を制御するアドレステーブルの作成と、
【図６】データフォ−マットの配信を実施する条件を指定する。
【００５２】
会員テーブルの完了確認６１０
制御フラグ５００に指定した同一のパケット種別、同一の通番、同一の送信元ＩＰ＃から、送付されたオブジェクトが拡散し終えたかを判断する。
アドレステーブルに配布すべきアドレス値が残っておれば、送信６１１へ制御を渡す。
アドレステーブルに配布すべきアドレス値が無ければ、会員／マスタの判断６０２へ制御をわたす。
【００５３】
Ｎ＝１系に送信６１１
【図４】アドレステーブルの遷移に規定した、拡散の一方（Ｎ＝１）に、データを送信する。
送付先のパソコンが準備完了で無い場合は、アドレステーブルに配布すべきアドレス値があるか判断を行いアドレステーブルの再遷移を行い、新しいパソコンに対し送付する。
【００５４】
Ｎ＝２系に送信６１２
【図４】アドレステーブルの遷移に規定した、拡散の一方（Ｎ＝２）に、データを送信する。
送付先のパソコンが準備完了で無い場合は、アドレステーブルに配布すべきアドレス値があるか判断を行いアドレステーブルの再遷移を行い、新しいパソコンに対し送付する。
【００５５】
音声／ファイルの配信要求６１３
送信要求フラグがあれば、音声配信６０５、ファイル配信６０６の要求に従った処理を行う。
送信要求フラグが無ければ、パケット受信６１４へ移動する。
【００５６】
パケット受信６１４
パケット受信６１４があれば画像受信６１５、音声受信６１６、ファイル受信６１７、ＰＰ受信６１８、終了６１９に従った処理を行う。
パケット受信が無ければ、会員／マスタの判断６０２へ移動する。
【００５７】
受信データの処理６２０
画像受信６１５は、指定の画像表示を行い
【図４】アドレステーブルの遷移に規定した、拡散を制御するアドレステーブルの作成と、
【図６】データフォ−マットの配信を実施する条件を指定し、送信要求を行う。
【００５８】
同様に音声受信６１６、ファイル受信６１７、ＰＰ受信６１８、終了６１９の各々についても指定の処理を行い
【図４】アドレステーブルの遷移に規定した、拡散を制御するアドレステーブルの作成と、
【図６】データフォ−マットの配信を実施する条件を指定し、送信要求を行う。
終了６１９を受信した場合は、自パソコンの終了処理６２１を行う。
【００５９】
【発明の効果】
以上詳述したように本発明によれば、オープンプラットホーム環境に構築されたカンファレンスの会員、会員内の目的とするファイル、画像、会話、設置エリア、規模を、任意に選択し、一括し安価なカンファレンスを行うことが出来る。
【００６０】
また任意の会員をマスターとしてカンファレンスあるいは、カンファレンスに類似する行為を行うため効率よく配信を行う配信方法を提供できる。
【００６１】
【図面の簡単な説明】
◎
【図１】音声と画像データの移動；カンファレンスプラットホーム内の各装置を接続と、
◎          パケット化されたデータの移動。
◎
【図２】従来の画像データの移動；従来のパケット化されたデータの移動
◎
【図３】動作レイヤ；カンファレンスアプリケーションプログラムのＯＳＩ参照モデル。
◎
【図４】アドレステーブルの遷移；拡散を制御するアドレステーブルの遷移。
◎
【図５】スループット；従来方法と拡散スピードを比較
◎
【図６】データフォ−マット；カンファレンスアプリケーションプログラム
◎
【図７】動作フロー；カンファレンスアプリケーションプログラムのマスタープロセス。
【００６２】
【符号の説明】
１０１：配信サーバ
１０２．２０６：会員１
１０３．２００．３０６：会員マスター
１０５：カメラ１
１０６．３０８：会員５
１０７．３０３．３１２：会員４
１０８．３０７：会員３
２０１．２０８：カンファレンスプログラム
２０４．４０４：画像
２０９：画像パケット
２１３：ネットワークヘッダ
２１４：ユーザデータ領域
２１６：パケット種、通番
２１７：カンファレンス会員メンバのＩＰアドレス
２１８：カンファレンスオブジェクト
３０２：会員２
３０４：会員６
３０５：会員８
３１０：カンファレンスプログラム内のアドレステーブル
３１１：自アドレスと送付する会員２
３１３：会員１０
４０２：接続完了
４０３：画像要求
４０６：会員３のパソコン
４０７：会員２のパソコン
４０８：会員３のパソコン
５００：ユーザデータの制御フラグ
５０１：パケット種
５０２：通番
５０３：送信元
５０４：カンファレンス会員メンバのＩＰアドレス
５０５：カンファレンスオブジェクト
６０２：会員／マスタの判断
６０３：送信要求
６０４：画像配信
６０５：音声配信
６０６：ファイル配信
６０７：ＰＰ配信
６０８．６１９：終了
６０９：送信データの作成
６１０：会員テーブルの完了確認
６１３：音声／ファイルの配信要求
６１３：音声／ファイルの配信要求判断の有無へ移動
６１４：パケット受信
６１５：画像受信
６１６：音声受信
６１７：ファイル受信
６１８：ＰＰ受信
６２０：受信データの処理
６２１：自パソコンの終了処理
【図１】
2004185269.tif 000003
【図２】
2004185269.tif 000004
【図３】
2004185269.tif 000005
【図４】
2004185269.tif 000006
【図５】
2004185269.tif 000007
【図６】
2004185269.tif 000008
【図７】
2004185269.tif 000009